(57)【特許請求の範囲】
【請求項１】
肌対向面及び非肌対向面と、前ウエスト域と、後ウエスト域と、前記前後ウエスト域間に位置するクロッチ域と、クロッチ域を中心として前記前後ウエスト域に延びる体液吸収性コアとを含む使い捨ての着用物品において、
前記前後ウエスト域のうちの少なくともいずれか一方のウエスト域が、前記肌対向面側に位置し、伸縮性を有する内面シートと、前記非肌対向面に位置し、非伸縮性を有する外面シートとを有し、
前記一方のウエスト域における、前記体液吸収性コアを含む吸液性芯材の存在域において、前記内面シートの一部が切断された開口領域が形成されており、
前記吸液性芯材と前記内面シートとを固定するための接着剤と前記内面シートと前記外面シートとを固定するための接着剤とが、該切断によって形成された開口において接して互いに結合していることを特徴とする前記着用物品。
【請求項２】
前記開口領域は、前記内面シートの所定領域に設けられた複数のスリットによって形成されている請求項１記載の着用物品。
【請求項３】
前記内面シートと前記外面シートとの間に、プラスチックフィルムが介在されており、前記吸液性芯材と前記内面シートとを固定するための接着剤が、前記内面シートと前記プラスチックフィルムとを固定するための接着剤と前記開口において接して結合している請求項１又は２に記載の着用物品。
【請求項４】
前記プラスチックフィルムが、外部から視認可能なグラフィックが印刷されたグラフィック表示フィルムである請求項３記載の着用物品。
【発明の詳細な説明】
【技術分野】
【０００１】
本発明は、使い捨て着用物品に関し、より詳しくは、一部に非伸縮域が画成された伸縮性シートを有するパンツ型の使い捨ておむつ、使い捨てのトイレット・トレーニングパンツ、使い捨て失禁パンツ、使い捨ての生理用パンツ等の使い捨て着用物品に関する。
【背景技術】
【０００２】
従来、弾性要素による伸縮性を有するウエスト域を含む着用物品は公知である。例えば、特許文献１には、伸縮性を有する前後ウエスト域と、前後ウエスト域間に位置するクロッチ域とを有するパンツ型の使い捨ておむつが開示されている。
【先行技術文献】
【特許文献】
【０００３】
【特許文献１】特開２００１−６１８９０号公報
【発明の概要】
【発明が解決しようとする課題】
【０００４】
特許文献１に開示された発明に係るおむつでは、前後ウエスト域において、おむつの横方向に延びる複数状のストランド状のウエスト弾性要素が配設されているので、前後ウエスト域は所要のフィット性を有する。また、ウエスト弾性要素は、体液吸収性コアを含む体液吸収芯材の存在領域において切断され、実質的に弾性伸縮性が発現しないように配設されているので、体液吸収芯材にウエスト弾性要素の収縮によるギャザーが生じることはなく、体液吸収芯材の吸液性能が阻害されるおそれはない
【０００５】
しかし、ウエスト弾性要素の一部を切断する場合には、それの介在する外面シートも切断する必要があり、おむつの外観を損ねるおそれがあり、また、外面シートの内面にグラフィックをプリントしたグラフィック表示フィルムを配置する場合には、イラストの形状が崩れ、外部からイラストを視認することができなくなるおそれがある。
【０００６】
本発明の課題は、前後ウエスト域が所要のフィット性を有するとともに、体液吸収芯材の吸液性能を阻害することのない使い捨て着用物品の提供にある。
【課題を解決するための手段】
【０００７】
前記課題を解決するために、本発明が対象とするのは、肌対向面及び非肌対向面と、前ウエスト域と、後ウエスト域と、前記前後ウエスト域間に位置するクロッチ域と、クロッチ域を中心として前記前後ウエスト域に延びる体液吸収性コアとを含む使い捨て着用物品である。
【０００８】
本発明の特徴とするところは、前記前後ウエスト域のうちの少なくともいずれか一方のウエスト域が、前記肌対向面側に位置し、伸縮性を有する内面シートと、前記非肌対向面に位置し、非伸縮性を有する外面シートとを有し、前記一方のウエスト域における、前記体液吸収性コアを含む吸液性芯材の存在域において、前記内面シートの一部が切断された開口領域が形成されており、前記吸液性芯材と前記内面シートとを固定するための接着剤と前記内面シートと前記外面シートとを固定するための接着剤とが、該切断によって形成された開口において接して互いに結合していることにある。
【０００９】
本発明は、前記特徴とする構成のほかに、以下の好ましい実施の態様を含む。
（１）前記開口領域は、前記内面シートの所定領域に設けられた複数のスリットによって形成されている。
（２）前記内面シートと前記外面シートとの間に、プラスチックフィルムが介在されており、前記体液吸収芯材と前記内面シートとを固定するための接着剤が、前記内面シートと前記プラスチックフィルムとを固定するための接着剤と前記開口において接して結合している。
（３）前記プラスチックフィルムが、外部から視認可能なグラフィックが印刷されたグラフィック表示フィルムである。
【発明の効果】
【００１０】
本発明によれば、肌対向面側に伸縮性の内面シートが配設されていることによって、ウエスト域が好適なフィット性を有するとともに、体液吸収性コアを含む体液吸収芯材の存在域において、内面シートの一部が切断された、実質的に非伸縮性の開口領域が形成されているので、体液吸収芯材の吸液性能が阻害されることはない。また、非肌対向面側に位置する外面シートの一部が切断されていないので、おむつの外観を損ねることはない。
【図面の簡単な説明】
【００１１】
【図１】本発明に係る使い捨て着用物品の一例として示す、第１実施形態における使い捨ておむつの斜視図。
【図２】おむつの一部破断展開図。
【図３】おむつの分解斜視図。
【図４】図２のＩＶ−ＩＶ線模式断面図。
【図５】非伸長時における第１内面シートの平面図。
【図６】第１内面シートを伸長した状態における平面図。
【図７】図２のＶＩＩ−ＶＩＩ線断面図。
【図８】図７のＶＩＩＩの一点鎖線で示す領域の一部拡大図。
【図９】本発明の第２実施形態におけるおむつの展開平面図。
【図１０】図９のＸ−Ｘ線断面図。
【発明を実施するための形態】
【００１２】
図１は、本発明に係る使い捨て着用物品の一例として示す、使い捨ておむつ１０の斜視図、図２は、おむつ１０の一部破断展開図、図３は、おむつ１０の分解斜視図、図４は、図２のＩＶ−ＩＶ線断面図、図５は、非伸長時における第１内面シートの平面図、図６は、第１内面シートを伸長した状態における平面図である。おむつ１０は、縦軸Ｐ−Ｐに関して対称である。
【００１３】
おむつ１０は、縦方向Ｙ及びそれに直交する横方向Ｘと、肌当接面側及びそれに対向する非肌当接面側と、おむつ１０の外形を形成するシャーシ１１と、シャーシ１１の肌当接面側に位置する吸液性構造体１２とを含む。
【００１４】
おむつ１０は前ウエスト域１３と、後ウエスト域１４と、前後ウエスト域１３，１４間に位置するクロッチ域１５と、互いに縦方向Ｙにおいて対向し、横方向Ｘへ延びる前後端部１６，１７と、互いに横方向Ｘにおいて対向して、縦方向Ｙへ延びる両側縁部１８，１９とを有する。
【００１５】
両側縁部１８，１９は、着用者の大腿部に沿ってフィットするようにクロッチ域１５において凹曲状に形成されている。また、前ウエスト域１３の両側縁部２２，２３と後ウエスト域１４の両側縁部２４，２５とは、縦方向Ｙへ間欠的に延びるサイドシーム部２６によって連結されており、ウエスト開口２７及び一対のレッグ開口２８が形成されている（図１参照）。
【００１６】
シャーシ１１は、非肌当接面側に位置し、前ウエスト域１３とクロッチ域１５の一部を形成する略台形状の第１外面シート３０と、後ウエスト域１４とクロッチ域１５の一部を形成する略台形状の第２外面シート３１と、前ウエスト域１３において横方向Ｘに延び、第１外面シート３０の肌対向面に接合された第１内面シート３２と、後ウエスト域１４において横方向Ｘへ延び、第２外面シート３１の肌対向面に接合された第２内面シート３３と、第１及び第２外面シート３０，３１との間に位置し、クロッチ域１５の中央部を形成する略矩形の中間シート３４とを有する。
【００１７】
第１外面シート３０と第１内面シート３２とは、第１接着剤３５を介して互いに接合され、第１積層シート３７が形成されている。第２内面シート３３は第１内面シート３２よりも幅狭であって、第２外面シート３１と第２内面シート３３とは、第２接着剤３６を介して互いに接合されていることによって第２積層シート３８が形成されている。また、中間シート３４は、非肌対向面に位置する略矩形の繊維不織布シート３９と、肌対向面に位置する、繊維不織布シート３９とほぼ同形同大の透湿性かつ不透液性のプラスチックシート４０とがホットメルト接着剤（図示せず）を介して接合されて形成されている。
【００１８】
シャーシ１１は、シャーシ１１の肌対向面において、クロッチ域１５を中心として前後ウエスト域１３，１４に延びる繊維不織布製の固定シート４５をさらに有する。固定シート４５は、中間シート３４よりも幅広であって、クロッチ域１５の中央部において、中間シート３４の肌対向面の全体を被覆している。
【００１９】
前ウエスト域１３の前端縁部１６沿いでは、第１外面シート３０が内方へ向かって折り返されており、折り返しによって形成された前折曲部４６内には、ストランド状の複数条のエラストマーからなる第１ウエスト弾性要素４７が収縮可能に配設されている。また、後ウエスト域１４の後端縁部１７沿では、第２外面シート３１が内方へ向かって折り返されており、折り返しによって形成された後折曲部４８内には、ストランド状の複数条のエラストマーからなる第２ウエスト弾性要素４９が収縮可能に配設されている。
【００２０】
クロッチ域１５の前ウエスト域１３寄りの側縁部（レッグ前開口縁部）沿いには、第１外面シート３０の内面に固定されたテープ状のエラストマーからなる前レッグ弾性要素５０Ｒ，５０Ｌが収縮可能に配設されている。また、クロッチ域１５の後ウエスト域１４寄りの側縁部（レッグ後開口縁部）沿いには、第２外面シート３１の内面に固定されたテープ状のエラストマーからなる後レッグ弾性要素５１Ｒ，５１Ｌが収縮可能に配設されている。前レッグ弾性要素５０Ｒ，５０Ｌの一部及び後レッグ弾性要素５１Ｒ，５１Ｌの全体の外面には、固定シート４５が固定されている。
【００２１】
第１及び第２外面シート３０，３１は、質量が１５〜４０ｇ／ｍ２、好ましくは、２５〜３５ｇ／ｍ２、繊維密度が０．０６〜０．１０ｇ／ｃｍ３、好ましくは、０．０７〜０．０９ｇ／ｃｍ３の範囲である、熱融着性のスパンボンド不織布からなる実質的に弾性非伸縮性の繊維不織布から形成されている。第1及び第２外面シート３０，３１は、それぞれ複数層から形成されていてもよいが、その場合には、おむつ１０全体の柔軟性を向上させ、かつ、柔らかな風合いを持たせるために、少なくともその外面に位置する繊維層を捲縮するスパンボンドフィラメント繊維から形成することが好ましい。また、第１及び第２外面シート３０，３１を第１及び第２内面シート３２，３３よりも低い弾性伸縮性を有する繊維不織布から形成してもよい。
【００２２】
第１及び第２内面シート３２，３３は、質量が２０〜５０ｇ／ｍ２、好ましくは、３０〜４０ｇ／ｍ２、繊維密度が０．０１〜０．０４ｇ／ｃｍ３、好ましくは、０．０２５〜０．０３５ｇ／ｃｍ３の範囲である、熱融着性のエラストマー繊維からなる弾性的に伸縮性のエアスルー繊維（ステープル）不織布やスパンボンド繊維不織布から形成されている。
【００２３】
図５に示すとおり、第１内面シート３２の横方向Ｘの中央部であって、その内面に吸液性芯材５５が存在する領域には、複数のスリット５０を千鳥状に、かつ、縦軸Ｐに対して斜めに（約３０°）配列して画成された実質的に非伸縮性の開口領域５１が形成されている。これにより、吸液性芯材５５の存在領域において、第１内面シート３２の伸縮性が実質的に発現されず、吸液性芯材５５に体液の漏れの原因となるギャザーが形成されることはないので、その吸液性能の低下を防止することができる。また、第１外面シート３０にはスリット５０が形成されておらず、その一部が切断されていないので、おむつ１０の外観を損ねることはない。なお、前後ウエスト域１３，１４にフィット性を付与するために、伸縮性シートではなく、ストランド状の弾性部材を用いた場合には、おむつ１０の製造工程において、ストランド状の弾性部材をその一部が切断された状態でシートに取り付けることは非常に困難であるため、弾性部材を第１外面シート３０に取り付けた状態で切断しなければならず、おむつ１０の外観を損ねるとともに、該切断による開口から弾性部材を固定するための接着剤が外部に露出するおそれがある。
【００２４】
また、図６に示すとおり、第１内面シート３２が横方向Ｘに伸長されることによって、各スリット５０には略楕円状の開口５０ａが形成されている。一般に、伸縮性のシートに直接複数の開口を穿設することは困難であって、また、一つの大きな開口によって開口領域５１を画成する場合には、シートとしての連続性が損なわれ、製造工程において該シートの搬送が極めて困難になる。しかし、本発明では、複数のスリット５０を第１内面シート３２に形成し、それを横方向Ｘに伸長させることによって複数の開口５０ａが画成されるので、開口領域５１を実質的に非伸縮性とすることができるとともに、第１内面シート３２のシートとしての連続性が保たれ、製造工程において連続的にシートを供給することができる。また、第１内面シート３２の伸張する方向（横方向Ｘ）に対して斜めに複数のスリット５０が配置されているので、その伸張によってスリット５０が開くので開口５０ａの形成が容易であり、さらに、横方向Ｘに伸張してもスリット５０の端部からシートが破断するおそれはない。
【００２５】
ここに、実質的に非伸縮性とは、第１内面シート３２が横方向Ｘに伸張されている状態であっても、開口領域５１において、吸液性芯材５５にギャザーが形成されない程度にまたはそれ以下にその弾性伸縮性を低減することを意味する。
【００２６】
各スリット５０の長さ寸法Ｒ１と隣り合う各スリット５０間の離間距離Ｒ２とは、おむつ１０全体の大きさによって適宜設計しうるものであるが、一般的なおむつのＬサイズを基準に述べれば、開口領域５１において第１内面シート３２の実質的に伸縮性の発現を確実に抑えるために、第１内面シート３２の縦方向Ｙにおける幅寸法Ｗが、約６０〜１２０ｍｍ（Ｍサイズでは、約８０ｍｍ）、横方向Ｘにおける長さ寸法Ｌが、約３００〜４５０ｍｍ（Ｍサイズでは、約３４０ｍｍ）の場合において、Ｒ１は１．０〜５．０ｍｍ、Ｒ２は、８．０〜１０．０ｍｍの範囲にあり、第１内面シート３２全体に対するスリット５０による開口５０ａの開口率は、１０〜５０％（Ｍサイズでは、約２０％）であることが好ましい。なお、本発明の効果を奏する限りにおいて、各スリット５０は、千鳥状以外の各種公知の配列パターンで形成してもよし、それによる開口が円形、角形などの各種形状となるような形状を採用することができる。また、第１内面シート３２のみならず、第２内面シート３３にスリット５０による開口領域５１が形成されていてもよい。
【００２７】
中間シート３４及び固定シート４５は、第１及び第２外面シート３０，３１と同様に、一部に捲縮繊維を含むスパンボンド繊維不織布から形成してもよいし、弾性的に非伸縮性のエアスルー繊維不織布などから形成してもよい。
【００２８】
図２に示すとおり、吸液性構造体１２は、前ウエスト域１３に位置する前端部１２ａと、後ウエスト域１４に位置する後端部１２ｂとを有し、前後端縁とそれらに直交する両側縁とによって画成された、クロッチ域１５を中心として前後ウエスト域１３，１４に延びる縦長方形状である。また、吸液性構造体１２は、肌当面側に位置する透液性のトップシート５３と、フラッフパルプと超吸収性ポリマー粒子等との混合からなる吸液性コアを液拡散性シート（図示せず）で覆うことによって形成された吸液性芯材５５と、非肌当接面側に位置し、吸液性芯材全体を被包する被覆シート５６と、吸液性芯材５５と被覆シート５６との間に位置するプラスチック材料から形成された防漏シート５７とを含む。
【００２９】
被覆シート５６は、吸液性芯材５５の両側縁から横方向Ｘの外方に延びる両側部を有している。両側部には、その一部を内方へ向かって折り返すことによって形成された、縦方向Ｙへ延びる一対のスリーブ状のサイドフラップ５８Ｌ，５８Ｒが形成されており、サイドフラップ５８Ｒ，５８Ｌ内には、縦方向Ｙに延びるエラストマーからなるストランド状の４条の弾性要素５９，６０がホットメルト接着剤を介して収縮可能に接合されている。弾性要素５９，６０のうちの外側に位置する２本の弾性要素５９ａ，６０ａは、クロッチ域１５の中央部に配置されており、第１及び第２レッグ弾性要素５０Ｒ，５０Ｌ，５１Ｒ，５１Ｌとともに、着用者の鼠径部に沿って延びる弾性帯を形成している。また、弾性要素５９，６０のうちの内側に位置する２本の弾性要素５９ｂ，６０ｂがサイドフラップ５８Ｒ，５８Ｌ内において前後ウエスト域１３，１４へ延びており、被覆シート５６の両側部は、弾性要素５９，６０の収縮作用によって、トップシート５３から離間してバリア又はガスケットカフを形成し、排泄物の横漏れを防止することができる。
【００３０】
吸液性構造体１２の前端部１２ａは、その外面に塗布された第３接着剤６５を介して第１内面シート３２の内面に取り付けられており、後端部１２ｂは、その外面に塗布された第４接着剤６６を介して固定シート４５の内面に取り付けられている。
【００３１】
なお、第１及び第２内面シート３２，３３は、前後ウエスト域１３，１４のみならず、クロッチ域１５へ延長して配置されていてもよい。また、肌対向面に固定シート４５を配置せず、シャーシ１１全体を、おむつ１０の外形を形成する、一連に延びる外面シートと内面シートとによって形成し、おむつ１０全体が伸縮性を有していてもよい。さらに、第２内外面シート３１，３３は、第１内外面シート３０，３２の前記構成と同様の構成を有するものであってもよい。
【００３２】
図７は、図２のＶＩＩ−ＶＩＩ線断面図、図８は、図７の一点鎖線ＶＩＩＩで囲んだ領域の一部拡大図である。
【００３３】
図７に示すとおり、第１内面シート３２に開口領域５１が形成されていることによって、スリット５０による開口５０ａにおいて第１接着剤３５と第３接着剤６５とが接して互いに結合されている。このように、第１接着剤３５と第３接着剤６５とが互いに接して結合されることによって、各スリット５０間の部位を確実に固定し、その伸縮性の発現を抑えるとともに、開口領域５１を除く領域における伸縮力によって生じる開口領域５１におけるシートのよれを防止することができる。
【００３４】
第１〜４接着剤３５，３６，６５，６６には、公知の各種の接着剤を制限なく用いることができるが、開口領域５１を除くその他の領域における第１及び第２内面シート３２，３３の伸縮性を阻害しないようにするために、質量が１．０〜２．５ｇ／ｍ２の範囲であって、ゴム系の接着剤、たとえば、ＳＢＳ（スチレン−ブタジエン−スチレン）系、ＳＩＳ（スチレン−イソプレン−スチレン）系のホットメルト接着剤を用いることが好ましい。また、第１〜４接着剤３５，３６，６５，６６の塗布パターンには、Ω状、スパイラル状、ドット状、波状などの公知の各種パターンを採用することができる。また、Ω状の塗布パターンの場合には、各接着ラインの線径が、好ましくは０．０１〜０．１ｍｍ，さらに好ましくは０．０３〜０．０７ｍｍであり、各接着ラインの離間寸法が１．０〜２．５ｍｍ，さらに好ましくは１．５〜２．０ｍｍであり、また、第１及び第２内面シート３２，３３の内面全体に対する面積率が好ましくは２〜１０％、さらに好ましくは４〜６％である。
【００３５】
＜第２実施形態＞
図９は、本発明の第２実施形態におけるおむつ１０の図２と同様の一部破断平面図、図１０は、図９のＸ−Ｘ線断面図である。第２実施形態のおむつ１０は、第１実施形態のおむつ１０と基本的構成が同様であり、相違する点についてのみ以下に述べる。
【００３６】
図９及び１０に示すとおり、本実施形態では、前ウエスト域１３の横方向Ｘの中央部において、おむつ１０の外部から視認可能なグラフィック（図示せず）が印刷されている、プラスチック材料から形成されたグラフィック表示フィルム７０が配置されている。前ウエスト域１３において、グラフィック表示フィルム７０は、第１接着剤３５を介して第１外面シート３０の内面に固定されており、第５接着剤７４を介して第１内面シート３２に固定されている。第５接着剤７４は、スリット５０による開口において第３接着剤６５と接して互いに結合しているので、開口領域５１における第１内面シート３２の伸縮性の発現を抑えるとともに、グラフィック表示フィルム７０が第１外面シート３０と第１内面シート３２との間において確実に固定され、位置ずれを生じることはない。また、グラフィック表示フィルム７０にスリット５０が形成されていないので、グラフィックの形状が崩れて、その視認性が妨げられることはない。
【００３７】
本発明では、前ウエスト域１３と後ウエスト域１４とが異なる構成を有しているが、第１及び第２実施形態における前ウエスト域１３の構成と同様の構成からなる後ウエスト域１４を採用することができる。また、本発明のおむつ１０を構成する各構成材料には、特に記述がなされている場合を除き、この種の分野において通常用いられている、各種の公知の材料を制限なく用いることができる。また、前後ウエスト域１３，１４が別体のシート部材から構成されたものではなく、前後ウエスト域１３，１４とクロッチ域１５とが一体に形成されていてもよい。具体的には、内外面シート３０，３１，３２，３３が、おむつ１０の外形をなす略砂時計状の一枚のシート部材から形成されていてもよい。
【符号の説明】
【００３８】
１０  使い捨ての着用物品
１３  前ウエスト域
１４  後ウエスト域
１５  クロッチ域
３０  第１外面シート
３１  第２外面シート
３２  第１内面シート
３３  第２内面シート
３５  第１接着剤
３６  第２接着剤
５０  スリット
５０ａ  開口
５１  開口領域
５５  吸液性芯材
６５  第３接着剤
６６  第４接着剤
７０  グラフィック表示フィルム
７４  第５接着剤
【図１】
0005457829.tif 000002
【図２】
0005457829.tif 000003
【図３】
0005457829.tif 000004
【図４】
0005457829.tif 000005
【図５】
0005457829.tif 000006
【図６】
0005457829.tif 000007
【図７】
0005457829.tif 000008
【図８】
0005457829.tif 000009
【図９】
0005457829.tif 000010
【図１０】
0005457829.tif 000011